(57)【要約】【課題】  迅速でかつ簡易に開口部を閉鎖することができるとともに、取付強度的にも優位な陸上設置型膜式堤防を提供する。【解決手段】  防水膜１と複数本の補強用繊維ロープ２からなる膜構造体３を必要に応じて展張することで防潮・防波堤１０の開口部１１を閉鎖し得るようにした陸上設置型膜式防潮・防波堤において、前記膜構造体３による開口部閉鎖時の水圧作用下で、繊維ロープ２のリング状の係止部５とこれが係合する開口縁部側のフック１２や互いに係合する防水膜側ファスナー６Ａ及び開口部側ファスナー６Ｂ等からなる展張手段により、膜構造体３をアーチ状に展張・支持し得るようにした。【選択図】        図１−ｃ
2005264586.tif 000002
【特許請求の範囲】
【請求項１】
膜と複数本の補強用索条からなる膜構造体を必要に応じて展張することで堤防の開口部を閉鎖し得るようにした陸上設置型膜式堤防において、
前記膜構造体による開口部閉鎖時の水圧作用下で、膜構造体をアーチ状に展張・支持し得る展張手段を設けたことを特徴とする陸上設置型膜式堤防。
【請求項２】
前記展張手段は、
外部保管されて取り出された膜構造体の左，右両側縁部から導出された索条端部をそれぞれ係止すべく開口部の左，右両縁部に設けられたフック部材と、
前記膜構造体の左，右両側縁部と前記開口部の左，右両縁部間にそれぞれ設けられたファスナー機構と、
を有することを特徴とする請求項１記載の陸上設置型膜式堤防。
【請求項３】
前記展張手段は、
膜構造体の左，右両側縁部をそれぞれ係止して基端部においてそれぞれ地面格納部と開口縁部との間で起倒自在に支持された左右一対の支柱と、
前記支柱を起倒させるワイヤ巻取り装置と、
を有することを特徴とする請求項１記載の陸上設置型膜式堤防。
【請求項４】
前記支柱の起立時に当該支柱を収納する凹部が開口縁部に縦設されると共に、この支柱収納状態下で膜端部を押圧する押え板を開口縁部に付設したことを特徴とする請求項３記載の陸上設置型膜式堤防。
【請求項５】
前記膜構造体の左，右両側縁部から導出された索条端部は、前記支柱の内側に平行に配され基端部においてそれぞれ地面格納部と開口縁部との間で起倒自在に支持された左右一対の前記支柱とは別の支柱にそれぞれ係止されることを特徴とする請求項３又は４記載の陸上設置型膜式堤防。
【請求項６】
前記展張手段は、
膜構造体の左，右両側縁部から導出された索条端部をそれぞれ係止して地面格納部から開口縁部に沿って上方へ伸長可能な左右一対のテレスコピックポールと、
前記テレスコピックポールを伸縮させるワイヤ巻取り装置と、
を有することを特徴とする請求項１記載の陸上設置型膜式堤防。
【請求項７】
前記膜構造体の展張状態下で、膜端部を開口縁部に押し当てる押え板を開口縁部に付設したことを特徴とする請求項６記載の陸上設置型膜式堤防。
【請求項８】
前記展張手段は、
膜構造体の左，右両側縁部から導出されて開口部の左，右両縁部に上下方向へ所定間隔離間して係止された複数段の索条のうちの最上段索条の両端部を引き込んで当該最上段索条の長さを調整する索条牽引装置を有し、
前記索条牽引装置は、最上段の索条が弛められかつ外された状態で当該索条とともに地面格納部に格納された膜構造体の展張の際に、最上段の索条を膜構造体に取り付けてから当該索条の両端部を引き込むことを特徴とする請求項１記載の陸上設置型膜式堤防。
【請求項９】
前記展張手段は、
索条により上下方向に複数段に亙って仕切られた横気嚢部にエアーを供給し得る加圧エアー供給手段を有し、
加圧エアー供給手段は、横気嚢部がエアー抜きされて地面格納部に格納された膜構造体の展張の際に、膜構造体の左，右両側縁部を開口部の左，右両縁部にそれぞれ水密に係合させつつ横気嚢部にエアーを供給することを特徴とする請求項１記載の陸上設置型膜式堤防。
【請求項１０】
前記膜構造体の左，右両側縁部にそれぞれ縦気嚢部が画成され、膜構造体の非展張時はエアー抜きされて開口部の左，右両縁部に縦設された筒状格納部に格納される一方、展張時はエアーが供給されて筒状格納部内に水密に膨らむことを特徴とする請求項９記載の陸上設置型膜式堤防。
【請求項１１】
前記展張手段は、
膜構造体の左，右両側縁部がそれぞれ係止された左右一対の浮力体付き支柱と、
前記浮力体付き支柱を収容し、上半部が浮力体付き支柱の支柱部を昇降可能に案内するスリット付きの地上案内筒部に形成され、下半部が上半部より大径に形成されて浮力体付き支柱の浮力体部を昇降可能に案内する地下水溜め部に形成されて開口部の左，右両縁部にそれぞれ立設された左右一対の昇降ケースと、
前記地下水溜め部に必要に応じて水を供給し得る水供給手段と、
を有し、
膜構造体の非展張時は水抜きされた地下水溜め部に浮力体付き支柱が格納されるとともに膜構造体は地面格納部に格納される一方、展張時は地下水溜め部に水が供給されて浮力体付き支柱が膜構造体とともに上昇可能になっていることを特徴とする請求項１記載の陸上設置型膜式堤防。
【請求項１２】
前記展張手段は、
開口部の一方縁部に一側縁部が水密に係止されて折り畳まれ又は巻き取られた膜構造体を横移動させてその他側縁部を開口部の他方縁部に水密に係止させる横移動手段を有していることを特徴とする請求項１記載の陸上設置型膜式堤防。
【発明の詳細な説明】
【技術分野】
【０００１】
本発明は、陸上設置型の膜式堤防に関する。
【背景技術】
【０００２】
津波，高潮，豪雨などのために、通常、陸上沿岸部には防潮・防波堤（陸閘）が整備されている。この防潮・防波堤の開口部には、従来、重厚な鉄扉などが設置されている場合が多い。
【０００３】
しかし、重厚な鉄扉の場合には、手動式であれ、機械式であれ、迅速に設置（開口部を閉鎖）させなくては、津波などの被害を拡大させる可能性がある。また、設置工事も大掛りとなって工事期間や工事費用も嵩むという問題点もあった。
【０００４】
そこで、近年では、軽量で持ち運びが可能なシート等の膜構造体を用いて開口部を締め切るものが種々考案されている。
【０００５】
例えば、特許文献１では、シャッターカーテンが降下するシャッターラインに沿って床面下に設けられた底板ケースとシャッターカーテンの座板との間に、シャッターカーテンの卷上げにより緊張状態で防水シートが張設される防潮装置が開示されている。
【０００６】
また、特許文献２では、複数の鋼製スラットを屈曲自在に連結して構成されて建物や地下道の開口部を閉鎖し得るスラット扉体の前面側に、該スラット扉体による開口部の閉鎖時に当該スラット扉体の下部から所定の高さまで防水性シートが添設される防潮装置付シャッターが開示されている。
【０００７】
【特許文献１】実公平６−１６０９８号公報
【特許文献２】実公平８−２３９１号公報
【発明の開示】
【発明が解決しようとする課題】
【０００８】
しかしながら、特許文献１や特許文献２に開示されたようなものにあっては、ともにシャッターに付設されるものであり、シート等の膜構造体のみでは成立しないので、装置が大掛りとなってコストアップを招来するという問題点があった。また、特許文献１では、緩みのない緊張状態で（鉛直方向にフラットな面で）防水シートが張設されることから、左，右両側の支柱等に水圧による大きな荷重が伝達されることから、取付強度の面でも難点があった。
【０００９】
そこで、本発明の目的は、迅速でかつ簡易に開口部を閉鎖することができるとともに、取付強度的にも優位な陸上設置型膜式堤防を提供することにある。
【課題を解決するための手段】
【００１０】
前記目的を達成するための本発明に係る陸上設置型膜式堤防は、膜と複数本の補強用索条からなる膜構造体を必要に応じて展張することで堤防の開口部を閉鎖し得るようにした陸上設置型膜式堤防において、前記膜構造体による開口部閉鎖時の水圧作用下で、膜構造体をアーチ状に展張・支持し得る展張手段を設けたことを特徴とする。
【００１１】
前記展張手段は、外部保管されて取り出された膜構造体の左，右両側縁部から導出された索条端部をそれぞれ係止すべく開口部の左，右両縁部に設けられたフック部材と、前記膜構造体の左，右両側縁部と前記開口部の左，右両縁部間にそれぞれ設けられたファスナー機構と、を有することを特徴とする。
【００１２】
前記展張手段は、膜構造体の左，右両側縁部をそれぞれ係止して基端部においてそれぞれ地面格納部と開口縁部との間で起倒自在に支持された左右一対の支柱と、前記支柱を起倒させるワイヤ巻取り装置と、を有することを特徴とする。
【００１３】
前記支柱の起立時に当該支柱を収納する凹部が開口縁部に縦設されると共に、この支柱収納状態下で膜端部を押圧する押え板を開口縁部に付設したことを特徴とする。
【００１４】
前記膜構造体の左，右両側縁部から導出された索条端部は、前記支柱の内側に平行に配され基端部においてそれぞれ地面格納部と開口縁部との間で起倒自在に支持された左右一対の前記支柱とは別の支柱にそれぞれ係止されることを特徴とする。
【００１５】
前記展張手段は、膜構造体の左，右両側縁部から導出された索条端部をそれぞれ係止して地面格納部から開口縁部に沿って上方へ伸長可能な左右一対のテレスコピックポールと、前記テレスコピックポールを伸縮させるワイヤ巻取り装置と、を有することを特徴とする。
【００１６】
前記膜構造体の展張状態下で、膜端部を開口縁部に押し当てる押え板を開口縁部に付設したことを特徴とする。
【００１７】
前記展張手段は、膜構造体の左，右両側縁部から導出されて開口部の左，右両縁部に上下方向へ所定間隔離間して係止された複数段の索条端部のうちの最上段索条の両端部を引き込んで当該最上段索条の長さを調整する索条牽引装置を有し、前記索条牽引装置は、最上段の索条が弛められかつ外された状態で当該索条とともに地面格納部に格納された膜構造体の展張の際に、最上段の索条を膜構造体に取り付けてから当該索条の両端部を引き込むことを特徴とする。
【００１８】
前記展張手段は、索条により上下方向に複数段に亙って仕切られた横気嚢部にエアーを供給し得る加圧エアー供給手段を有し、加圧エアー供給手段は、横気嚢部がエアー抜きされて地面格納部に格納された膜構造体の展張の際に、膜構造体の左，右両側縁部を開口部の左，右両縁部にそれぞれ水密に係合させつつ横気嚢部にエアーを供給することを特徴とする。
【００１９】
前記膜構造体の左，右両側縁部にそれぞれ縦気嚢部が画成され、膜構造体の非展張時はエアー抜きされて開口部の左，右両縁部に縦設された筒状格納部に格納される一方、展張時はエアーが供給されて筒状格納部内に水密に膨らむことを特徴とする。
【００２０】
前記展張手段は、膜構造体の左，右両側縁部がそれぞれ係止された左右一対の浮力体付き支柱と、前記浮力体付き支柱を収容し、上半部が浮力体付き支柱の支柱部を昇降可能に案内するスリット付きの地上案内筒部に形成され、下半部が上半部より大径に形成されて浮力体付き支柱の浮力体部を昇降可能に案内する地下水溜め部に形成されて開口部の左，右両縁部にそれぞれ立設された左右一対の昇降ケースと、前記地下水溜め部に必要に応じて水を供給し得る水供給手段と、を有し、膜構造体の非展張時は水抜きされた地下水溜め部に浮力体付き支柱が格納されるとともに膜構造体は地面格納部に格納される一方、展張時は地下水溜め部に水が供給されて浮力体付き支柱が膜構造体とともに上昇可能になっていることを特徴とする。
【００２１】
前記展張手段は、開口部の一方縁部に一側縁部が水密に係止されて折り畳まれ又は巻き取られた膜構造体を横移動させてその他側縁部を開口部の他方縁部に水密に係止させる横移動手段を有していることを特徴とする
【発明の効果】
【００２２】
前記構成の陸上設置型膜式堤防によれば、膜を用いて軽量化することによって、迅速かつ簡易に開口部を閉鎖することができる。また、展張時の膜の形状は平面視でアーチ状となっており、開口部の左，右両縁部の支持部に対し引張力のみで水圧による荷重を伝達できるサスペンション構造であるので、取付強度的にも優位である。
【発明を実施するための最良の形態】
【００２３】
以下、本発明に係る陸上設置型膜式堤防を実施例により図面を用いて詳細に説明する。
【実施例１】
【００２４】
図１−ａは本発明の実施例１を示す膜構造体の展開斜視図、図１−ｂは同じく膜構造体の保管状態を示す斜視図、図１−ｃは同じく膜構造体の展張状態の斜視図である。
【００２５】
図１−ａに示すように、合成樹脂や布等からなる軽量の防水膜（シート）１と上下方向に所定間隔離間して配置された複数本（図示例では５本）の補強用繊維ロープ（索条）２とから膜構造体３が構成される。
【００２６】
繊維ロープ２は、その中間部が防水膜１の袋状部４に通されると共に、左右両端部は防水膜１（膜構造体３）の左，右両側縁部から導出されてリング状の係止部（アイスプライス等展張手段）５に形成されている。
【００２７】
防水膜１（膜構造体３）の左，右両側縁部には防水膜側ファスナー６Ａ（展張手段）が取り付けられると共に、上縁部には必要に応じて左右方向に所定間隔離間してフロート７が取り付けられる。
【００２８】
このように構成された膜構造体３は、通常は、図１−ｂに示すように、保管用ケース８内に保管され、津波，高潮，豪雨などの災害時には、図１−ｃに示すように、保管用ケース８から取り出されて防潮・防波堤（堤防）１０の開口部１１を水密に閉塞すべく展張される。
【００２９】
即ち、開口部１１の左，右両端縁部には前記係止部５が係合するフック（展張手段）１２が上下方向に複数箇（図示例では５箇）取着されると共に、開口部１１の左，右両側縁部（海水等が侵入する側）には前記防水膜側ファスナー６Ａと係合する開口部側ファスナー６Ｂ（展張手段）が取着されているのである。
【００３０】
そして、開口部閉鎖時の水圧作用下では、膜構造体３は平面視でアーチ状に陸側に膨らんで展張・支持されるようになっている（図１−ｃの鎖線参照）。
【００３１】
このようにして、本実施例では、膜構造体３を用いて軽量化することによって、迅速かつ簡易に防潮・防波堤１０の開口部１１を閉鎖することができる。即ち、膜構造体３を保管用ケース８から取り出した後、繊維ロープ２の係止部５をフック１２に引っ掛けると共に防水膜側ファスナー６Ａと開口部側ファスナー６Ｂとを係合させるという簡単な動作で済むのである。
【００３２】
また、水圧作用下では、膜構造体３は平面視でアーチ状に展張・支持されるので、フック１２に対する引張力を軽減でき、取付強度も高められる。さらに、膜構造体３は軽量なため、動力を一切使わずに少数の人力で迅速に持ち運べ、かつ構造が簡単なため、開口縁部への取り付けも容易である。
【実施例２】
【００３３】
図２−ａは本発明の実施例２を示す膜構造体の格納状態の斜視図、図２−ｂは同じく膜構造体の展張状態を示す斜視図である。
【００３４】
これは、実施例１における膜構造体３のうち、防水膜１の左，右両側縁部を左右一対の第１支柱（展張手段）１５に縫着（係止）すると共に、繊維ロープ２の左，右両端部を前記第１支柱１５の内側に平行に配された第２支柱（展張手段）１６にリング状の係止部５又はかしめ１７等で係止する。
【００３５】
そして、前記第１支柱１５と第２支柱１６とを、基端部において、海水等が侵入する側に浅凹部状に形成された地面格納部１７と防潮・防波堤１０の開口部１１の左，右両縁部に立設した門柱１８との間で起倒自在に支持し、ウインチ等のワイヤ巻取り装置（展張手段）１９で互いに連動して起倒させるようにした例である。
【００３６】
また、前記第１支柱１５の起立時に当該第１支柱１５を収納する凹部２０が前記門柱１８の海水等が侵入する側の側面に縦設されると共に、この第１支柱収納状態下で当該第１支柱１５に縫着された膜端部を水密に押圧する押え板２１が前記門柱１８の海水等が侵入する側の側面に開閉自在に付設される。
【００３７】
なお、図２−ａ中２２は第２支柱１６と門柱１８とのブラケット２３ａ，２３ｂ間を結合するピンで、図２−ｂ中２４は膜構造体３の起立時（展張時）に膜構造体３（防水膜１）の下縁部における水密状態を保持するために人手で設置される重しである。
【００３８】
このように構成されるため、膜構造体３を常時に開口部床下の地面格納部１７に格納しておき、津波などが発生した時にワイヤ巻取り装置１９で起立させることで、展張させられ、開口部１１を水密に閉塞することができる。そして、水圧作用下では、膜構造体３は平面視でアーチ状に陸側に膨らんで展張・支持される（図２−ｂの鎖線参照）。
【００３９】
本実施例では、実施例１と同様の作用・効果に加えて、ワイヤ巻取り装置１９で展張するため、高所の人手作業が無く、迅速な取付が可能であるという利点が得られる。なお、ワイヤ巻取り装置１９は手動，自動があり、自動の場合には災害時停電も考えられるため、非常用電源を用意すれば良い。
【実施例３】
【００４０】
図３−ａは本発明の実施例３を示す膜構造体の格納状態の斜視図、図３−ｂは同じく膜構造体の展張状態を示す斜視図、図３−ｃは同じく展張時の要部平面図、図３−ｄは同じく地面格納部の断面図である。
【００４１】
これは、実施例１における膜構造体３（防水膜１）の左，右両側縁部から導出された繊維ロープ２の端部をそれぞれ係止して溝状の地面格納部１７から開口部１１の左，右両縁部に立設した門柱１８に沿って上方へ伸長可能な左右一対のテレスコピックポール（展張手段）２５を設け、このテレスコピックポール２５をウインチ等のワイヤ巻取り装置（展張手段）１９で伸縮できるようにした例である。
【００４２】
前記テレスコピックポール２５の最上段のポール部にはボルト２６が埴設され、同テレスコピックポール２５の上限位置では、門柱１８の天板部２７をボルト２６が貫通し、この貫通したボルト２６にナット２８が螺合し得るようになっている。つまり、テレスコピックポール２５の上限位置を、ワイヤ巻取り装置１９に代わってボルト２６が保持し得るようになっているのである。
【００４３】
また、膜構造体３の展張状態下で、膜端部を門柱１８の海水等が侵入する側の側面に水密に押し当てる押え板２１が当該門柱１８の側面に開閉自在に付設される。また、テレスコピックポール２５が嵌合する門柱１８の半円状の凹部２９の内面形状は、当該テレスコピックポール２５の外形に合わせて段付き形状とされ、可及的に水密状態を確保し得るようになっている。
【００４４】
このように構成されるため、膜構造体３を常時に開口部床下の地面格納部１７に格納しておき、津波などが発生した時にワイヤ巻取り装置１９でテレスコピックポール２５を上方へ伸長させることで、展張させられ、開口部１１を水密に閉塞することができる。そして、水圧作用下では、膜構造体３は平面視でアーチ状に陸側に膨らんで展張・支持される（図３−ｂの鎖線参照）。
【００４５】
本実施例では、実施例１と同様の作用・効果に加えて、ワイヤ巻取り装置１９で展張するため、高所の人手作業が無く、迅速な取付が可能であると共に、テレスコピックポール２５及び膜構造体３をコンパクトに格納できるという利点が得られる。なお、ワイヤ巻取り装置１９は手動，自動があり、自動の場合には災害時停電も考えられるため、非常用電源を用意すれば良い。
【実施例４】
【００４６】
図４−ａは本発明の実施例４を示す膜構造体の格納状態の斜視図、図４−ｂは同じく要部側面図、図４−ｃは同じく要部正面図である。
【００４７】
これは、実施例１における膜構造体３の左，右両側縁部から導出されて開口部１１の左，右両縁部に上下方向へ所定間隔離間して係止された複数段（図示例では５段）の繊維ロープ２のうちの最上段の繊維ロープ２の両端部を引き込んで当該繊維ロープ２の長さを調整するロープ牽引装置（展張手段）３０を設け、このロープ牽引装置３０により、最上段の繊維ロープ２が弛められかつ外された状態で当該繊維ロープ２とともに、浅凹部状の地面格納部１７に格納された膜構造体３の展張の際に、最上段の繊維ロープ２を膜構造体３に取り付けてから当該繊維ロープ２の両端部を引き込むようにした例である。
【００４８】
このように構成されるため、最上段の繊維ロープ２を弛めかつ防水膜１から外した状態で膜構造体３を常時に開口部床下の地面格納部１７に格納しておき、津波などが発生した時に最上段の繊維ロープ２を防水膜１（膜構造体３）に取り付けてからロープ牽引装置３０で当該繊維ロープ２の両端部を引き込むことで、展張させられ、開口部１１を水密に閉塞することができる。そして、水圧作用下では、膜構造体３は平面視でアーチ状に陸側に膨らんで展張・支持される（図４−ａの鎖線参照）。
【００４９】
本実施例では、実施例１と同様の作用・効果に加えて、最上段の繊維ロープ２のみを調整するだけで膜構造体３を展張できるため、より一層迅速な取付が可能であるという利点が得られる。
【実施例５】
【００５０】
図５は本発明の実施例５を示す膜構造体の展張工程図である。
【００５１】
これは、実施例１における繊維ロープ２により上下方向に複数段（図示例では７段）に亙って仕切られた横気嚢部１ａ〜１ｇにエアーを供給し得る図示しないエアーコンプレッサー等の加圧エアー供給手段を設け、この加圧エアー供給手段により、横気嚢部１ａ〜１ｇがエアー抜きされて浅凹部状の地面格納部１７に格納された膜構造体３の展張の際に、膜構造体３の左，右両側縁部を開口部１１の門柱１８にそれぞれ水密に係合させつつ横気嚢部１ａ〜１ｇにエアーを供給するようにした例である。
【００５２】
また、図示例では、前記膜構造体３の左，右両側縁部にそれぞれ縦気嚢部１ｈが画成され、膜構造体３の非展張時はエアー抜きされて門柱１８の側面部に縦設された半筒状格納部３１に格納される一方、展張時はエアーが供給されて半筒状格納部３１内に水密に膨らむよう構成されている。
【００５３】
このように構成されるため、横気嚢部１ａ〜１ｇ及び縦気嚢部１ｈのエアー抜きをして膜構造体３を常時に地面格納部１７及び半筒状格納部３１に格納しておき、津波などが発生した時に横気嚢部１ａ〜１ｇ及び縦気嚢部１ｈに加圧エアー供給手段で加圧エアーを供給して膨らますことで、展張させられ、開口部１１を水密に閉塞することができる。そして、水圧作用下では、膜構造体３は平面視でアーチ状に陸側に膨らんで展張・支持される（図５の鎖線参照）。
【００５４】
本実施例では、実施例１と同様の作用・効果に加えて、高所の人手作業が無く、迅速な取付が可能であるという利点が得られる。なお、本実施例において、最下段の横気嚢部１ｇを水嚢に代えて給水するようにすると、水密状態を保持する上で好適である。
【実施例６】
【００５５】
図６−ａは本発明の実施例６を示す膜構造体の展張状態の斜視図、図６−ｂは同じく要部平面図、図６−ｃは同じく展張工程図である。
【００５６】
これは、実施例１における膜構造体３の展張手段として、膜構造体３の左，右両側縁部がそれぞれ係止された左右一対の浮力体付き支柱３３と、該浮力体付き支柱３３を収容し上半部が浮力体付き支柱３３の支柱部３３ａを昇降可能に案内するスリット付きの地上案内筒部３４ａに形成され、下半部が上半部より大径に形成されて浮力体付き支柱３３の浮力体部３３ｂを昇降可能に案内する地下水溜め部３４ｂに形成されて開口部１１の門柱１８にそれぞれ立設された左右一対の昇降ケース３４と、前記地下水溜め部３４ｂに必要に応じて水を供給し得る図示しない水供給手段とを設ける。
【００５７】
そして、膜構造体３の非展張時は水抜きされた地下水溜め部３４ｂに浮力体付き支柱３３が格納されるとともに膜構造体３は地面格納部１７に格納される一方、展張時は地下水溜め部３４ｂに取水口３５より水が供給されて浮力体付き支柱３３が膜構造体３とともに上昇可能になっている。
【００５８】
また、地下水溜め部３４ｂから地上案内筒部３４ａに移行する段付部にはゴムパッキン３６が貼着され、浮力体付き支柱３３の上限位置で浮力体部３３ｂがゴムパッキン３６に圧接することで止水し得るようになっている。一方、地上案内筒部３４ａのスリット両縁部にもゴムパッキン３７が貼着され、膜構造体３の展張時（膜張力作用時）に支柱部３３ａに巻装された膜構造体３の左，右両側縁部がゴムパッキン３７に圧接することで止水し得るようにもなっている。尚、図６−ａ，図６−ｂ中３８はスティフナーで、３９は地面格納部１７の開閉蓋である。
【００５９】
このように構成されるため、地下水溜め部３４ｂの水抜きをして浮力体付き支柱３３を下限位置に置くことで膜構造体３を常時に地面格納部１７及び浮力体付き支柱３３に格納しておき、津波などが発生した時に地下水溜め部３４ｂに水が供給されて浮力体付き支柱３３が上昇することで、展張させられ、開口部１１を水密に閉塞することができる。そして、水圧作用下では、膜構造体３は平面視でアーチ状に陸側に膨らんで展張・支持される。
【００６０】
本実施例では、実施例１と同様の作用・効果に加えて、高所の人手作業が無く、迅速な取付が可能であるという利点が得られる。
【実施例７】
【００６１】
図７−ａは本発明の実施例７を示す膜構造体の格納状態の斜視図、図７−ｂは同じく展張状態の斜視図である。
【００６２】
これは、開口部１１の一方の門柱１８に一側縁部が水密に係止されて折り畳まれた膜構造体３を走行溝（展張手段）４０に沿って横移動させてその他側縁部を開口部１１の他方の門柱１８に水密に係止させるようにした例である。
【００６３】
これによるも、実施例１と同様の作用・効果が得られる。
【実施例８】
【００６４】
図８は本発明の実施例８を示す膜構造体の格納状態の斜視図である。
【００６５】
これは、開口部１１の一方の門柱１８に一側縁部が水密に係止されて巻き取られた膜構造体３を手動（展張手段）等で巻き戻してその他側縁部を開口部１１の他方の門柱１８に水密に係止させるようにした例である。
【００６６】
これによるも、実施例１と同様の作用・効果が得られる。
【図面の簡単な説明】
【００６７】
【図１−ａ】本発明の実施例１を示す膜構造体の展開斜視図である。
【図１−ｂ】同じく膜構造体の保管状態を示す斜視図である。
【図１−ｃ】同じく膜構造体の展張状態の斜視図である。
【図２−ａ】本発明の実施例２を示す膜構造体の格納状態の斜視図である。
【図２−ｂ】同じく膜構造体の展張状態を示す斜視図である。
【図３−ａ】本発明の実施例３を示す膜構造体の格納状態の斜視図である。
【図３−ｂ】同じく膜構造体の展張状態を示す斜視図である。
【図３−ｃ】同じく展張時の要部平面図である。
【図３−ｄ】同じく地面格納部の断面図である。
【図４−ａ】本発明の実施例４を示す膜構造体の格納状態の斜視図である。
【図４−ｂ】同じく要部側面図である。
【図４−ｃ】同じく要部正面図である。
【図５】本発明の実施例５を示す膜構造体の展張工程図である。
【図６−ａ】本発明の実施例６を示す膜構造体の展張状態の斜視図である。
【図６−ｂ】同じく要部平面図である。
【図６−ｃ】同じく展張工程図である。
【図７−ａ】本発明の実施例７を示す膜構造体の格納状態の斜視図である。
【図７−ｂ】同じく展張状態の斜視図である。
【図８】本発明の実施例８を示す膜構造体の格納状態の斜視図である。
【符号の説明】
【００６８】
１  防水膜（シート）
１ａ〜１ｇ  横気嚢部
１ｈ  縦気嚢部
２  繊維ロープ
２ａ  かしめ
３  膜構造体
４  袋状部
５  リング状の係止部
６Ａ  防水膜側ファスナー
６Ｂ  開口部側ファスナー
７  フロート
８  保管用ケース
１０  防潮・防波堤
１１  開口部
１２  フック
１５  第１支柱
１６  第２支柱
１７  地面格納部
１８  門柱
１９  ワイヤ巻取り装置
２０  凹部
２１  押え板
２２  ピン
２３ａ，２３ｂ  ブラケット
２４  重し
２５  テレスコピックポール
２６  ボルト
２７  天板部
２８  ナット
２９  凹部
３０  ロープ牽引装置
３１  半筒状格納部
３３  浮力体付き支柱
３３ａ  支柱部
３３ｂ  浮力体部
３４  昇降ケース
３４ａ  地上案内筒部
３４ｂ  地下水溜め部
３５  取水口
３６，３７  ゴムパッキン
３８  スティフナー
３９  開閉蓋
４０  走行溝
【図１−ａ】
2005264586.tif 000003
【図１−ｂ】
2005264586.tif 000004
【図１−ｃ】
2005264586.tif 000005
【図２−ａ】
2005264586.tif 000006
【図２−ｂ】
2005264586.tif 000007
【図３−ａ】
2005264586.tif 000008
【図３−ｂ】
2005264586.tif 000009
【図３−ｃ】
2005264586.tif 000010
【図３−ｄ】
2005264586.tif 000011
【図４−ａ】
2005264586.tif 000012
【図４−ｂ】
2005264586.tif 000013
【図４−ｃ】
2005264586.tif 000014
【図５】
2005264586.tif 000015
【図６−ａ】
2005264586.tif 000016
【図６−ｂ】
2005264586.tif 000017
【図６−ｃ】
2005264586.tif 000018
【図７−ａ】
2005264586.tif 000019
【図７−ｂ】
2005264586.tif 000020
【図８】
2005264586.tif 000021